【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
メモリデバイスと、
前記メモリデバイスに結合された処理回路とを備え、前記処理回路が、
第1のワイヤレス通信ネットワークが多元接続仮想ワイヤレス通信ネットワークの確立をサポートすることを示す情報を受信することと、
前記第1のワイヤレス通信ネットワークで前記多元接続仮想ワイヤレス通信ネットワークの前記確立のための少なくとも1つのパラメータを有する動的サブスクリプションを規定することであって、前記少なくとも1つのパラメータがトラフィック管理情報を含み、前記トラフィック管理情報は、前記多元接続仮想ワイヤレス通信ネットワークに関する少なくともトラフィックルーティング情報を含む、ことと、
前記少なくとも1つのパラメータに従って、前記多元接続仮想ワイヤレス通信ネットワークの確立を開始するために、トランシーバを利用して前記動的サブスクリプションを前記第1のワイヤレス通信ネットワークに送信することと
を行うように構成された、ワイヤレスアクセス端末。
【請求項２】
前記少なくとも1つのパラメータが、
前記多元接続仮想ワイヤレス通信ネットワークへのアクセスを認可されたデバイスのリスト、
前記多元接続仮想ワイヤレス通信ネットワークに対する位置制限、
前記多元接続仮想ワイヤレス通信ネットワークの地理的カバレージエリア、
前記多元接続仮想ワイヤレス通信ネットワークに対するアクセス制限、
前記仮想ワイヤレス通信ネットワークとの接続に使用されるべきアクセスポイント名のリスト、
前記多元接続仮想ワイヤレス通信ネットワークについてのサブスクリプションタイプ、
前記多元接続仮想ワイヤレス通信ネットワークの名前、
前記多元接続仮想ワイヤレス通信ネットワークに対する動作時間、
前記多元接続仮想ワイヤレス通信ネットワークによって提供されるサービス、または
多元接続仮想ワイヤレス通信ネットワークタイプのうちの少なくとも1つを含む、請求項1に記載のワイヤレスアクセス端末。
【請求項３】
前記動的サブスクリプションが、前記多元接続仮想ワイヤレス通信ネットワークの前記確立のためのクレデンシャル情報を含み、
前記クレデンシャル情報が、前記多元接続仮想ワイヤレス通信ネットワークを確立することをデバイスに認可する認証情報、または前記多元接続仮想ワイヤレス通信ネットワークの識別子のうちの少なくとも1つを含む、請求項1に記載のワイヤレスアクセス端末。
【請求項４】
前記クレデンシャル情報が、前記多元接続仮想ワイヤレス通信ネットワークをスポンサーするサードパーティから受信される、請求項3に記載のワイヤレスアクセス端末。
【請求項５】
前記処理回路が、前記多元接続仮想ワイヤレス通信ネットワークにアクセスする1つまたは複数の他のワイヤレスアクセス端末のコストを含む課金を受信するようにさらに構成される、請求項3に記載のワイヤレスアクセス端末。
【請求項６】
前記第1のワイヤレス通信ネットワークが前記多元接続仮想ワイヤレス通信ネットワークの前記確立をサポートすることを示す前記情報が、
ブロードキャスト信号、
レイヤ2信号、
接続確立通信、または
プロトコル設定オプション(PCO)情報要素(IE)のうちの少なくとも1つを介して受信される、請求項1に記載のワイヤレスアクセス端末。
【請求項７】
前記第1のワイヤレス通信ネットワークが前記多元接続仮想ワイヤレス通信ネットワークの前記確立をサポートすることを示す前記情報が、
前記多元接続仮想ワイヤレス通信ネットワークの前記確立に使用されるべきアクセスポイント名のリスト、または
前記多元接続仮想ワイヤレス通信ネットワークの前記確立に使用されるべきサーバのアドレスのリストのうちの少なくとも1つを含む、請求項1に記載のワイヤレスアクセス端末。
【請求項８】
前記処理回路が、
前記第1のワイヤレス通信ネットワークが前記多元接続仮想ワイヤレス通信ネットワークの前記確立をサポートするかどうかに関するクエリを送信することと、
前記クエリに対する応答を受信することとを行うようにさらに構成され、前記応答が、前記第1のワイヤレス通信ネットワークが前記多元接続仮想ワイヤレス通信ネットワークの前記確立をサポートすることを示す、請求項1に記載のワイヤレスアクセス端末。
【請求項９】
前記処理回路が、
前記多元接続仮想ワイヤレス通信ネットワークへのアクセスを許可されている少なくとも1つのデバイスを識別することと、
前記多元接続仮想ワイヤレス通信ネットワークに関連付けられたクレデンシャルを前記少なくとも1つのデバイスに通信することと
を行うようにさらに構成される、請求項1に記載のワイヤレスアクセス端末。
【請求項１０】
前記トラフィックルーティング情報は、前記多元接続仮想ワイヤレス通信ネットワークのトラフィックをローカルブレークアウトまたは特定のノードにルーティングすることを示す、請求項1に記載のワイヤレスアクセス端末。
【請求項１１】
ワイヤレスアクセス端末において動作可能な方法であって、
第1のワイヤレス通信ネットワークが多元接続仮想ワイヤレス通信ネットワークの確立をサポートすることを示す情報を受信するステップと、
前記第1のワイヤレス通信ネットワークで前記多元接続仮想ワイヤレス通信ネットワークの前記確立のための少なくとも1つのパラメータを含む動的サブスクリプションを規定するステップであって、前記少なくとも1つのパラメータがトラフィック管理情報を含み、前記トラフィック管理情報は、前記多元接続仮想ワイヤレス通信ネットワークに関する少なくともトラフィックルーティング情報を含む、ステップと、
前記少なくとも1つのパラメータに従って、前記多元接続仮想ワイヤレス通信ネットワークの確立を開始するために前記動的サブスクリプションを前記第1のワイヤレス通信ネットワークに送信するステップと、
を含む、方法。
【請求項１２】
前記多元接続仮想ワイヤレス通信ネットワークが、動的モバイル仮想ネットワーク事業者(DMVNO)を含む、請求項11に記載の方法。
【請求項１３】
前記動的サブスクリプションが、前記多元接続仮想ワイヤレス通信ネットワークを確立するためのクレデンシャル情報を含み、
前記クレデンシャル情報が、前記多元接続仮想ワイヤレス通信ネットワークを確立することをデバイスに認可する認証情報、または前記多元接続仮想ワイヤレス通信ネットワークの識別子のうちの少なくとも1つを含む、請求項11に記載の方法。
【請求項１４】
前記第1のワイヤレス通信ネットワークが前記多元接続仮想ワイヤレス通信ネットワークの前記確立をサポートするかどうかに関するクエリを送信するステップと、
前記クエリに対する応答を受信するステップであって、前記応答が、前記第1のワイヤレス通信ネットワークが前記多元接続仮想ワイヤレス通信ネットワークの前記確立をサポートすることを示す、ステップと、
をさらに含む、請求項11に記載の方法。
【請求項１５】
前記多元接続仮想ワイヤレス通信ネットワークへのアクセスを許可されている少なくとも1つのデバイスを識別するステップと、
前記多元接続仮想ワイヤレス通信ネットワークに関連付けられたクレデンシャルを前記少なくとも1つのデバイスに通信するステップとをさらに含む、請求項11に記載の方法。
【請求項１６】
メモリデバイスと、
前記メモリデバイスに結合された処理回路とを備え、前記処理回路が、
トランシーバを利用して、第1のワイヤレス通信ネットワークが多元接続仮想ワイヤレス通信ネットワークの確立をサポートすることを示す情報を送信することと、
前記多元接続仮想ワイヤレス通信ネットワークの確立のためにワイヤレスアクセス端末によって規定された少なくとも1つのパラメータを含む動的サブスクリプションを、前記トランシーバを利用して受信することであって、前記少なくとも1つのパラメータがトラフィック管理情報を含み、前記トラフィック管理情報は、前記多元接続仮想ワイヤレス通信ネットワークに関する少なくともトラフィックルーティング情報を含む、受信することと、
前記動的サブスクリプションを前記ワイヤレスアクセス端末から受信することの結果として、前記少なくとも1つのパラメータに従って前記多元接続仮想ワイヤレス通信ネットワークを確立することと
を行うように構成された、ネットワークエンティティ。
【請求項１７】
前記多元接続仮想ワイヤレス通信ネットワークが、動的モバイル仮想ネットワーク事業者(DMVNO)を含む、請求項16に記載のネットワークエンティティ。
【請求項１８】
前記少なくとも1つのパラメータが、
前記多元接続仮想ワイヤレス通信ネットワークへのアクセスを認可されたデバイスのリスト、
前記多元接続仮想ワイヤレス通信ネットワークに対する位置制限、
前記多元接続仮想ワイヤレス通信ネットワークの地理的カバレージエリア、
前記多元接続仮想ワイヤレス通信ネットワークに対するアクセス制限、
前記仮想ワイヤレス通信ネットワークとの接続に使用されるべきアクセスポイント名のリスト、
前記多元接続仮想ワイヤレス通信ネットワークについてのサブスクリプションタイプ、
前記多元接続仮想ワイヤレス通信ネットワークの名前、
前記多元接続仮想ワイヤレス通信ネットワークに対する動作時間、
前記多元接続仮想ワイヤレス通信ネットワークによって提供されるサービス、または
多元接続仮想ワイヤレス通信ネットワークタイプのうちの少なくとも1つを含む、請求項16に記載のネットワークエンティティ。
【請求項１９】
前記処理回路が、前記多元接続仮想ワイヤレス通信ネットワークの前記確立のためのクレデンシャル情報を通信するようにさらに構成され、
前記クレデンシャル情報が、前記多元接続仮想ワイヤレス通信ネットワークを確立することをデバイスに認可する認証情報、または前記多元接続仮想ワイヤレス通信ネットワークの識別子のうちの少なくとも1つを含む、請求項16に記載のネットワークエンティティ。
【請求項２０】
前記処理回路が、
前記多元接続仮想ワイヤレス通信ネットワークに関する動作情報を、無線アクセスネットワークノード、またはワイヤレスアクセスノードのうちの少なくとも1つに通信するようにさらに構成される、請求項16に記載のネットワークエンティティ。
【請求項２１】
前記動作情報が、
前記多元接続仮想ワイヤレス通信ネットワークに関するトラフィック処理情報、
指定された位置におけるノードに対して指定された多元接続仮想ワイヤレス通信ネットワーク情報、
ユーザ設定に従って多元接続仮想ワイヤレス通信ネットワークトラフィックを管理するためのポリシー、または
前記多元接続仮想ワイヤレス通信ネットワークに対する課金ポリシーのうちの少なくとも1つを含む、請求項20に記載のネットワークエンティティ。
【請求項２２】
第1のワイヤレス通信ネットワークが前記多元接続仮想ワイヤレス通信ネットワークの前記確立をサポートすることを示す前記情報が、
ブロードキャスト信号、
レイヤ2信号、
接続確立通信、または
プロトコル設定オプション(PCO)情報要素(IE)のうちの少なくとも1つを介して送信される、請求項16に記載のネットワークエンティティ。
【請求項２３】
前記処理回路が、
第1のワイヤレス通信ネットワークが前記多元接続仮想ワイヤレス通信ネットワークの前記確立をサポートするかどうかに関するクエリを受信することと、
前記クエリに応答して前記情報を送信することと
を行うようにさらに構成される、請求項16に記載のネットワークエンティティ。
【請求項２４】
前記処理回路が、
確立された多元接続仮想ワイヤレス通信ネットワークに対する接続利用可能性を広告するようにさらに構成される、請求項16に記載のネットワークエンティティ。
【請求項２５】
ネットワークエンティティにおいて動作可能な方法であって、
第1のワイヤレス通信ネットワークが多元接続仮想ワイヤレス通信ネットワークの確立をサポートすることを示す情報を送信するステップと、
前記多元接続仮想ワイヤレス通信ネットワークを確立するためにワイヤレスアクセス端末によって規定された少なくとも1つのパラメータを含む動的サブスクリプションを、前記ワイヤレスアクセス端末から受信するステップであって、前記少なくとも1つのパラメータがトラフィック管理情報を含み、前記トラフィック管理情報は、前記多元接続仮想ワイヤレス通信ネットワークに関する少なくともトラフィックルーティング情報を含む、受信するステップと、
前記動的サブスクリプションを前記ワイヤレスアクセス端末から受信するステップの結果として、前記少なくとも1つのパラメータに従って前記多元接続仮想ワイヤレス通信ネットワークを確立するステップとを含む、方法。
【請求項２６】
前記多元接続仮想ワイヤレス通信ネットワークが、動的モバイル仮想ネットワーク事業者(DMVNO)を含む、請求項25に記載の方法。
【請求項２７】
前記多元接続仮想ワイヤレス通信ネットワークを確立するためのクレデンシャル情報を通信するステップをさらに含み、
前記クレデンシャル情報が、前記多元接続仮想ワイヤレス通信ネットワークを確立することをデバイスに認可する認証情報、または前記多元接続仮想ワイヤレス通信ネットワークの識別子のうちの少なくとも1つを含む、請求項25に記載の方法。
【請求項２８】
前記多元接続仮想ワイヤレス通信ネットワークに関する動作情報を、無線アクセスネットワークノード、またはワイヤレスアクセスノードのうちの少なくとも1つに通信するステップをさらに含み、
前記動作情報が、前記多元接続仮想ワイヤレス通信ネットワークに関するトラフィック処理情報、指定された位置におけるノードに対して指定された多元接続仮想ワイヤレス通信ネットワーク情報、ユーザ設定に従って多元接続仮想ワイヤレス通信ネットワークトラフィックを管理するためのポリシー、または前記多元接続仮想ワイヤレス通信ネットワークに対する課金ポリシーのうちの少なくとも1つを含む、請求項25に記載の方法。
【請求項２９】
第1のワイヤレス通信ネットワークが前記多元接続仮想ワイヤレス通信ネットワークの前記確立をサポートすることを示す前記情報が、
ブロードキャスト信号、
レイヤ2信号、
接続確立通信、または
プロトコル設定オプション(PCO)情報要素(IE)のうちの少なくとも1つを介して送信される、請求項25に記載の方法。